(57)【要約】【課題】含水率の高いエタノールを添加しても、燃料として必要な性状を満たすエタノール含有ガソリン燃料を得ることができるガソリン組成物、それが混合されたガソリン燃料、およびその製造方法を提供することを目的とする。【解決手段】芳香族分を１０．０〜４５．０容量％、炭素数９の芳香族分を５．０〜３０．０容量％、および炭素数８のイソパラフィン分を５．０〜４０．０容量％含み、表面張力が１７．０〜１９．８ｍＮ／ｍ、１５℃における密度が０．７０〜０．７７ｇ／ｃｍ３、および蒸気圧が５０〜９０ｋＰａであるガソリン組成物である。【選択図】なし【特許請求の範囲】
【請求項１】
芳香族分を１０．０〜４５．０容量％、炭素数９の芳香族分を５．０〜３０．０容量％、および炭素数８のイソパラフィン分を５．０〜４０．０容量％含み、
表面張力が１７．０〜１９．８ｍＮ／ｍ、１５℃における密度が０．７０〜０．７７ｇ／ｃｍ３、および蒸気圧が５０〜９０ｋＰａ
であることを特徴とするガソリン組成物。
【請求項２】
前記炭素数８のイソパラフィン分として、２，２，４−トリメチルペンタンが２．０〜３５．０容量％含まれる請求項１記載のガソリン組成物。
【請求項３】
前記炭素数９の芳香族分として、１，２，４−トリメチルベンゼンが１．０〜２５．０容量％含まれる請求項１または２記載のガソリン組成物。
【請求項４】
前記芳香族分として、トルエンが２．０〜１５．０容量％含まれる請求項１ないし３いずれか記載のガソリン組成物。
【請求項５】
請求項１ないし４いずれか記載のガソリン組成物に、水分含有量が０．０５質量％以上の含水エタノールを混合し、ガソリン相中のエタノール濃度を３．５容量％以上、水分含有量を０．２５質量％以下としたことを特徴とするエタノール含有ガソリン燃料。
【請求項６】
請求項１ないし４いずれか記載のガソリン組成物に、水分含有量が０．０５質量％以上の含水エタノールを混合することを特徴とするエタノール含有ガソリン燃料の製造方法。
【発明の詳細な説明】
【技術分野】
【０００１】
本発明は、自動車等に搭載されているエンジンを駆動するためのガソリン組成物、およびエタノール含有ガソリン燃料の組成およびその製造方法に関する。
【背景技術】
【０００２】
近年、地球温暖化の主な原因となっている二酸化炭素排出量削減の観点から、石油由来の燃料に代わるものとして、生物由来の燃料を使用する試みがなされている。その一環として、例えば、ガソリン燃料においては、ガソリン燃料に生物由来のエタノールを混合して使用することが提案されている。
【０００３】
そして、現状では、ガソリン燃料用としてのエタノール混合量は品質確保法により３容量％まで許容されているが、地球温暖化を考慮した二酸化炭素削減の観点から、今後、エタノールの混合量が増加する可能性が高い。
【０００４】
なお、ガソリン燃料混合用としてのエタノールは、水分をほとんど含まない無水エタノールを使用している。無水エタノールを使う理由は、水分混入を回避しガソリン中にエタノールを溶解しやすくすることにある。なお、エタノールは生物由来の粗エタノールを蒸留、脱水することにより得られる。そして、その精製度合によって無水エタノール及び含水率の多い含水エタノールに分類されるが、無水エタノールを得るためには、粗エタノールの蒸留、脱水などにより多くのエネルギーが必要となる。一方、エタノールと水との親和性が高いことから、単なる静置分離では含水エタノール中の水分を除去して無水エタノールを得ることはできない。したがって、地球温暖化に与える影響に加え、コストの面からも含水エタノールを使用することが好ましいといえる。そこで、含水エタノールを混合する試みもなされており、例えば、特開平６−１５８０６４号公報（特許文献１）には、ガソリンに含水エタノールをブレンドすることが開示されている。
【０００５】
ところが、単に含水エタノールと一般的なガソリンを混合しただけでは、ガソリン相および水相に分かれ、水相側にエタノールが溶解してしまい、エタノール含有量３．５容量％以上の高濃度エタノール含有ガソリン燃料（ガソリン相）が製造できないという課題がある。また、ガソリン相中では、含水エタノール中の水がガソリン相中に溶解し、気温などの影響で油温が低下した場合、溶解水が析出・分離し（相分離）、ガソリン相中に溶解しているエタノールの多くが水相側に移動することによって、ガソリンのオクタン価や蒸気圧が低下するなど品質上の問題がある。
【０００６】
なお、ガソリン・水の相分離の問題については、その解決法が提案されている。例えば、特開２００５−１８７５２０号公報（特許文献２）には、エタノール含有ガソリン燃料中の水分含有量とエタノール含有量の比が一定範囲とされ、相溶剤を用いなくてもガソリン相と水相に相分離せず、エタノール濃度０．５〜１５容量％のエタノール含有ガソリン燃料を製造する手法が提案されている。
【先行技術文献】
【特許文献】
【０００７】
【特許文献１】特開平６−１５８０６４号公報
【特許文献２】特開２００５−１８７５２０号公報
【発明の概要】
【発明が解決しようとする課題】
【０００８】
しかしながら、特許文献２において提案されているガソリン・水の相分離を解決するための手法は、無水エタノール（水分含有量５０ｐｐｍ以下）の使用を想定したものであり、含水エタノールを使用した場合にまで適用することは難しい。
【０００９】
一方、特許文献１に開示されている手法は、含水エタノールの使用を想定しているものの、向流抽出塔のような大規模な設備や向流抽出・ガソリン冷却のためのエネルギーが必要となり、製造コストが高くなるという問題がある。
【００１０】
そこで、本発明は、大規模な設備や大きなエネルギーを要することなく、含水率の高いエタノールを混合するだけで、燃料として必要な性状を満たすエタノール含有ガソリン燃料を容易に得ることができるガソリン組成物、それが混合されたガソリン燃料、およびその製造方法を提供することを目的とする。
【課題を解決するための手段】
【００１１】
本発明者らは、鋭意研究を重ねた結果、表面張力、密度、蒸気圧、芳香族分および炭素数８のイソパラフィン分を所定の範囲とすることで課題を解決できることを見出した。具体的には芳香族分を１０．０〜４５．０容量％、炭素数９の芳香族分を５．０〜３０．０容量％、および炭素数８のイソパラフィン分を５．０〜４０．０容量％含み、表面張力が１７．０〜１９．８ｍＮ／ｍ、１５℃における密度が０．７０〜０．７７ｇ／ｃｍ３、および蒸気圧が５０〜９０ｋＰａであるガソリン組成物を用いることにより、含水率の高いエタノールを混合しても、燃料として必要な性状を満たすエタノール含有ガソリン燃料を容易に得ることができることを見出した。すなわち、本発明は、芳香族分を１０．０〜４５．０容量％、炭素数９の芳香族分を５．０〜３０．０容量％、および炭素数８のイソパラフィン分を５．０〜４０．０容量％含み、表面張力が１７．０〜１９．８ｍＮ／ｍ、１５℃における密度が０．７０〜０．７７ｇ／ｃｍ３、および蒸気圧が５０〜９０ｋＰａであるガソリン組成物である。また、本発明は、前記ガソリン組成物に、水分含有量が０．０５質量％以上の含水エタノールを混合し、ガソリン相中のエタノール濃度を３．５容量％以上、水分含有量を０．２５質量％以下としたエタノール含有ガソリン燃料である。さらに、本発明は、前記ガソリン組成物に、水分含有量が０．０５質量％以上の含水エタノールを添加するエタノール含有ガソリン燃料の製造方法である。
【発明の効果】
【００１２】
以上のように、本発明によれば、含水率の高いエタノールを添加しても、燃料として必要な性状を満たすエタノール含有ガソリン燃料を容易に得ることができるガソリン組成物、それが混合されたエタノール含有ガソリン燃料、およびその製造方法を提供することができる。
【図面の簡単な説明】
【００１３】
【図１】エタノール含有ガソリン燃料中の水分含有量とエタノール濃度との相関を示すグラフである。
【図２】ガソリン組成物の表面張力と、エタノール含有ガソリン燃料中のエタノール濃度との相関を示すグラフである。
【発明を実施するための形態】
【００１４】
［ガソリン組成物］
本発明に係るガソリン組成物は、芳香族分を含む。芳香族分としては、例えば、ベンゼン、トルエン、キシレンや炭素数９以上のアルキルベンゼンおよびナフタレン類が挙げられる。芳香族分には、炭素数９の芳香族分が含まれる。炭素数９の芳香族分としては、１，２，４−トリメチルベンゼン、１，３，５−トリメチルベンゼン、１，２，３−トリメチルベンゼン、１，２−メチルエチルベンゼン、１，３−メチルエチルベンゼン、１，４−メチルエチルベンゼン、およびインダンが挙げられ、１，２，４−トリメチルベンゼンが好ましい。１，２，４−トリメチルベンゼンを含む炭素数９の芳香族分を用いると、エタノールの溶解性が良好となり好ましい。
【００１５】
芳香族分は、ガソリン組成物中に、１０．０〜４５．０容量％含まれ、１５．０〜４０．０容量％であることが好ましく、１５．０〜３０．０容量％であることがより好ましく、１５．０〜２０．０容量％であることがさらに好ましく、１５．０〜１８．０容量％であることが特に好ましく、１５．０〜１６．０容量％であることが最も好ましい。芳香族分が多いとエタノールの溶解量は増加するが、過大になると、エンジン燃焼室内で、プラグのくすぶりなどの不具合が生ずるおそれがある。芳香族分が少ないとガソリン中の水の溶解量は少なくできるが、エタノールの溶解性も低下し、高濃度エタノール含有ガソリン燃料を作れないばかりかオクタン価が低くなるなど、実用性能に影響を及ぼす場合があり、好ましくない。
【００１６】
炭素数９の芳香族分は、ガソリン組成物中に、５．０〜３０．０容量％含まれ、５．０〜２７．５容量％であることが好ましく、５．０〜２０．０容量％であることがより好ましく、５．０〜１５．０容量％であることがさらに好ましく、５．１〜１０．０容量％であることが特に好ましく、５．２〜５．９容量％であることが最も好ましい。炭素数９の芳香族分が多いとエンジン燃焼室内で、プラグのくすぶりなどの不具合が生ずるおそれがある。少ないとオクタン価が低くなる場合があり、好ましくない。１，２，４−トリメチルベンゼンを含む場合は、ガソリン組成物中に、１．０〜２５．０容量％含まれるのが好ましく、１．５〜２３．５容量％含まれるのがより好ましく、１．５〜３．０容量％含まれるのがさらに好ましく、１．５〜２．０容量％含まれるのが特に好ましい。
【００１７】
芳香族分としてトルエンを含む場合は、ガソリン組成物中、２．０〜１５．０容量％含まれるのが好ましく、２．２〜１３．０容量％含まれるのがより好ましく、２．２〜１０．０容量％含まれるのがさらに好ましく、２．３〜４．０容量％含まれるのが特に好ましく、２．４〜２．６容量％含まれるのが最も好ましい。トルエンが多いとエンジン燃焼室内で、プラグのくすぶりなどの不具合が生ずるおそれがある。少ないとオクタン価が低くなる場合があり、好ましくない。
【００１８】
本発明に係るガソリン組成物は、イソパラフィン分を含む。イソパラフィン分は、ガソリン組成物中に２０．０容量％以上含まれていてもよく、３０．０容量％以上であることが好ましく、３５．０容量％以上であることがより好ましく、５０．０容量％以上であることがさらに好ましく、５５．０容量％以上であることが特に好ましい。イソパラフィン分が少ないとオクタン価が低くなり、好ましくない。また、経済性・基材入手性の観点から、イソパラフィン分は６０容量％以下であることが好ましい。
【００１９】
本発明に係るガソリン組成物は、炭素数８のイソパラフィン分を含む。炭素数８のイソパラフィン分としては、例えば、２，２，４−トリメチルペンタン、２，３，４−トリメチルペンタン、および２，３−ジメチルヘキサンが挙げられ、２，２，４−トリメチルペンタンが好ましい。２，２，４−トリメチルペンタンを含むと、エタノールの溶解性が良好となり好ましい。
【００２０】
炭素数８のイソパラフィン分は、ガソリン組成物中に、５．０〜４０．０容量％含まれ、５．０〜３７．０容量％含まれることが好ましい。炭素数８のイソパラフィン分が多いと水分同伴量が増え、少ないとエタノールが十分に溶解しない場合があり、好ましくない。炭素数８のイソパラフィン分として２，２，４−トリメチルペンタンを含む場合は、ガソリン組成物中に、２．０〜３５．０容量％含まれるのが好ましく、２．０〜３３．０容量％含まれるのがさらに好ましい。
【００２１】
本発明に係るガソリン組成物は、ノルマルパラフィン分を含んでいてもよい。ノルマルパラフィン分は、ガソリン組成物中に１０．０〜２０．０容量％含まれていてもよく、１０．０〜１６．０容量％であることが好ましく、１１．０〜１４．０容量％であることがさらに好ましい。ノルマルパラフィン分が少ないと燃焼性が悪化し排ガス性能が悪化することがあり、好ましくない。またノルマルパラフィン分が多すぎるとオクタン価が低くなる場合があり、好ましくない。
【００２２】
本発明に係るガソリン組成物は、オレフィン分を含んでいてもよい。オレフィン分は、ガソリン組成物中に５．０〜３０．０容量％含まれていてもよく、１０．０〜２０．０容量％であることが好ましく、１０．０〜１６．０容量％であることがさらに好ましく、１０．０〜１４．０容量％であることが特に好ましい。オレフィン分が少ないとオクタン価が低くなることがあり、多いと酸化安定性が悪化することがあるため、好ましくない。
【００２３】
本発明に係るガソリン組成物は、ナフテン分を含んでいてもよい。ナフテン分は、ガソリン組成物中に０．５〜１０．０容量％含まれていてもよく、２．０〜８．０容量％であることが好ましく、３．０〜６．０容量％であることがさらに好ましく、３．０〜５．０容量％が特に好ましい。
【００２４】
本発明に係るガソリン組成物は、表面張力が１７．０〜１９．８ｍＮ／ｍであり、１７．３〜１９．６ｍＮ／ｍであることが好ましく、１７．３〜１８．５ｍＮ／ｍであることがさらに好ましい。表面張力が大きいと、含水エタノールをガソリン組成物に添加したとき、得られるエタノール含有ガソリン燃料中の水分含有量が多くなることがあり、また、エンジン燃焼室内で、プラグのくすぶりなどの不具合が生ずるおそれがある。一方、表面張力が小さいと、含水エタノールをガソリン組成物に添加したとき、得られるエタノール含有ガソリン燃料中にエタノールが十分に溶解しないことがあり、また、燃費が悪化する場合がある。表面張力は、例えば、全自動表面張力計（ＣＢＶＰ−Ｚ，協和界面科学株式会社製）を使用して、白金リング法によって測定することができる。
【００２５】
本発明に係るガソリン組成物は、１５℃における密度が０．７０〜０．７７ｇ／ｃｍ３であり、０．７１〜０．７６ｇ／ｃｍ３であることが好ましく、０．７１〜０．７２ｇ／ｃｍ３であることがさらに好ましい。密度が大きいとエンジン燃焼室内で、プラグのくすぶりなどの不具合が生ずるおそれがあり、小さいと燃料消費率が悪化する場合がある。
【００２６】
本発明に係るガソリン組成物は、蒸気圧が５０〜９０ｋＰａであり、５２〜８８ｋＰａであることが好ましい。蒸気圧が大きいと蒸発ガスの発生が多くベーパーロックが起こりやすくなり、小さいと低温始動性の悪化が生じる場合がある。
【００２７】
本発明に係るガソリン組成物は、１０％留出温度は３０．０〜６５．０℃であることが好ましく、４０．０〜６１．０℃であることがさらに好ましい。１０％留出温度が低すぎるとベーパーロックが起こりやすくなり、高すぎると低温始動性が悪化する場合がある。５０％留出温度は７０．０〜１６０．０℃が好ましく、７０．０〜１０５．０℃がさらに好ましい。５０％留出温度が低すぎると燃費が悪化し、高すぎると加速性が悪化する。９０％留出温度は１３０．０〜１９０．０℃が好ましく、１４０．０〜１７０．０℃がさらに好ましく、１４０．０〜１６０．０が特に好ましい。９０％留出温度が低すぎると燃費が悪化し、高すぎるとオイル希釈が生じ、潤滑油の機能を低下させる。
【００２８】
本発明に係るガソリン組成物は、オクタン価が９０．０〜１００．０であってもよい。
【００２９】
本発明に係るガソリン組成物は、異性化ガソリン、軽質分解ガソリン、重質分解ガソリン、アルキレート、接触改質ガソリン、芳香族回収装置から留出する接触改質ガソリンを蒸留操作により分離した複数のガソリン基材、それら複数のガソリン基材をスルフォランなどの溶剤抽出によりベンゼンを除去した複数のガソリン基材、軽質ナフサ、またはブタン留分などのような基材を混合して調製することができる。ガソリン組成物の表面張力は、例えば、炭素数８のイソパラフィン分やトリメチルベンゼンなどの炭素数９の芳香族分の含有量などによって調整できる。ガソリン組成物の組成を調整するには、基材の調合割合を変化させたり、各基材を得る時の運転条件、例えば蒸留装置からの抜出温度や抜出比率、反応器の反応温度、抽出装置の抽出温度や溶剤比率などを調整したりすればよい。
【００３０】
本発明に係るガソリン組成物は、含水エタノールを添加すると、ガソリン燃料にエタノールが良好に溶解する一方で、水分はほとんど溶解しない。したがって、本発明に係るガソリン組成物には、水分を多量に含む生物由来のエタノールであっても、多量のエネルギーを要することなく、容易に混合することができ、水分含有量の少ないエタノール含有ガソリン燃料を容易に得ることができる。
【００３１】
［エタノール含有ガソリン燃料］
本発明に係るエタノール含有ガソリン燃料は、本発明に係るガソリン組成物およびエタノールを含む。エタノール含有ガソリン燃料中のエタノール濃度は、３．５容量％以上である。自動車の実用性の観点から、エタノール濃度は２０容量％以下とすることができる。エタノール含有ガソリン燃料中の水分濃度は、０．２５質量％以下である。
【００３２】
［エタノール含有ガソリン燃料の製造方法］
本発明に係るエタノール含有ガソリン燃料は、本発明に係るガソリン組成物に含水エタノールを添加して製造することができる。添加する含水エタノールは、水分含有量が好ましくは０．０５質量％以上２５．０質量％以下、より好ましくは０．５質量％以上２０．０質量％以下、さらに好ましくは０．８質量％以上２０．０質量％以下、特に好ましくは３．５質量％以上２０．０質量％以下の含水エタノールである。エタノールは生物由来のエタノールを用いてもよい。エタノールの水分含有量が低い場合、このようなエタノールを得るために、複数の工程を経て粗エタノールを精製する必要があり、エタノールを入手するコストが高くなるなどの問題がある。一方、エタノールの水分含有量が高すぎると、目的とするガソリン相（エタノール３．５容量％以上、水分含有量０．２５質量％以下）が得られない場合がある。
【００３３】
本発明に係るガソリン組成物と含水エタノールとの容量混合比（ガソリン組成物：含水エタノール）は、所望のエタノール濃度となるよう適宜混合比を調整する。含水エタノールの含水量等にもよるが、好ましくは７０：３０〜９８：２、より好ましくは、７５：２５〜９７：３である。含水エタノールの混合割合が高すぎると、高濃度エタノール含有ガソリン燃料の生産効率が悪化し、小さいと高濃度エタノール含有ガソリン燃料の製造が困難になることがある。
【００３４】
本発明に係るエタノール含有ガソリン燃料の製造方法においては、本発明に係るガソリン組成物にエタノールを添加する他に、例えば、添加剤を加えてもよい。添加剤としては、例えば、清浄剤、酸化防止剤、金属不活性剤、帯電防止剤、および着色剤が挙げられる。
【００３５】
本発明に係るガソリン組成物に含水エタノールを添加すると、水分のほとんどはガソリン燃料（ガソリン相）には同伴されず、水相として分離する。したがって、水相を分離することにより、容易に水分含有量の少ないエタノール含有ガソリン燃料を得ることができる。ガソリン相と水相の分離は、例えば、タンク内で一定期間放置後、タンク底部より水切りラインより水分を除去したり、その他公知の方法を用いて行うことができる。
【実施例】
【００３６】
（ガソリン組成物：実施例１〜５および比較例１〜３）
異性化ガソリン、軽質分解ガソリン、重質分解ガソリン、アルキレート、接触改質ガソリン、軽質ナフサ、ブタン留分、トルエン基材、炭素数８のイソパラフィン分、および炭素数９の芳香族分から選ばれた基材を混合し、実施例１〜５および比較例１〜３に係るガソリン組成物を得た。実施例１〜５および比較例１〜３に係るガソリン組成物の組成や性状を表１および２に示す。性状および成分組成は、以下の方法により測定した。
【００３７】
蒸気圧：ＪＩＳ  Ｋ  ２２５８「原油及び燃料油−蒸気圧試験方法−リード法」により測定した。
密度（＠１５℃）：ＪＩＳ  Ｋ  ２２４９「原油及び石油製品−密度試験方法及び密度・質量・容積換算表」により測定した。
成分組成：ＪＩＳ  Ｋ  ２５３６−２「石油製品―成分試験方法  第２部：ガスクロマトグラフによる全成分の求め方」により測定した。
蒸留性状：ＪＩＳ  Ｋ  ２２５４「石油製品―蒸留試験方法」により測定した。
オクタン価（ＲＯＮ）：ＪＩＳ  Ｋ  ２２８０「石油製品−燃料油−オクタン価及びセタン価試験方法並びにセタン指数算出方法」のリサーチ法オクタン価試験方法により測定した。
【００３８】
表面張力：２５℃において、全自動表面張力計（ＣＢＶＰ−Ｚ、協和界面科学株式会社製）を使用して、白金リング法により測定した。測定は３回行い、その平均値を結果とした。
【００３９】
【表１】
2015028162.tif 000002
【００４０】
【表２】
2015028162.tif 000003
【００４１】
（エタノール含有ガソリン燃料：実施例６〜１３および比較例４〜６）
〔実施例６〕
実施例１に係るガソリン組成物に２０質量％の含水率のエタノールを８０：２０（ガソリン組成物：含水エタノール）の容量比で添加して室温で撹拌混合した。混合液はガソリン相と水相に分離するので、水相を分液ろうとを用いて除去して、残ったガソリン相を実施例６に係るエタノール含有ガソリン燃料として得た。得られたエタノール含有ガソリン燃料の水分含有量およびエタノール濃度を測定した。結果を表３、並びに図１に示す。また、図２にガソリン組成物の表面張力と、得られたエタノール含有ガソリン燃料中のエタノール濃度との関係を示す。図中、実施例は四角、比較例は丸である。
【００４２】
〔実施例７〜１０および比較例４〜６〕
実施例１に係るガソリン組成物の代わりに、実施例２〜５および比較例１〜３に係るガソリン組成物を用いた以外は、実施例６と同様にして、実施例７〜１０および比較例４〜６に係るエタノール含有ガソリン燃料をそれぞれ得た。結果を、表３〜４および図１〜２に示す。
【００４３】
〔実施例１１〕
２０質量％の含水率のエタノールを用いる代わりに、４質量％の含水率のエタノールを用いて９６：４の比で添加した以外は実施例６と同様にして実施例１１に係るエタノール含有ガソリン燃料を得た。結果を表３に示す。
【００４４】
〔実施例１２〕
２０質量％の含水率のエタノールを用いる代わりに、４質量％の含水率のエタノールを用いて９５：５の比で添加した以外は実施例６と同様にして実施例１２に係るエタノール含有ガソリン燃料を得た。結果を表３に示す。
【００４５】
〔実施例１３〕
２０質量％の含水率のエタノールを用いる代わりに、１質量％の含水率のエタノールを用いて９０：１０の比で添加した以外は実施例６と同様にして実施例１３に係るエタノール含有ガソリン燃料を得た。結果を表３に示す。
【００４６】
水分含有量：ＪＩＳ  Ｋ  ２２７５「原油及び石油製品−水分試験方法」のカールフィッシャー式電量滴定法により測定した。測定は３回行い、平均値を結果とした。
【００４７】
エタノール濃度：ＪＩＳ  Ｋ  ２５３６−２「石油製品―成分試験方法  第２部：ガスクロマトグラフによる全成分の求め方」により測定した。
【００４８】
【表３】
2015028162.tif 000004
【００４９】
【表４】
2015028162.tif 000005
【００５０】
表３及び４より、実施例１〜５に係るガソリン組成物を用いたエタノール含有ガソリン燃料は、エタノール濃度が３．５容量％以上、かつ水分含有量が低い（０．２５質量％以下）ことが分かる。
【図１】
2015028162.tif 000006
【図２】
2015028162.tif 000007